(57)【特許請求の範囲】
【請求項１】
読み取り光学系を備えたキャリッジと、読み取り光学系を経て伝達される画像を画素信号に変換するラインイメージセンサを有する読み取りデータ検出手段と、白基準体の読み取りデータを用いて読み取りデータを補正する読み取りデータ補正手段と、原稿搬送手段と、キャリッジ移動手段とを備え、キャリッジを移動させ、定置した原稿を読み取る定置原稿読み取りモード及びキャリッジを固定し、原稿搬送手段による搬送途中に原稿を読み取る搬送原稿読み取りモードの両読み取りモードの動作が可能な画像読み取り装置であって、
前記白基準体として、キャリッジの移動位置に第１の白基準体とキャリッジの前記固定位置に第２の白基準体を、いずれもラインイメージセンサの主走査ラインにおける全読み取り領域にわたって設け、
前記読み取りデータ補正手段は、
定置原稿読み取りモードの原稿読み取りデータに対し、前記読み取りデータ検出手段によって検出された画素単位の第１の白基準体の読み取りデータに基づいてシェーディング補正を施し、
搬送原稿読み取りモードの原稿読み取りデータに対し、前記読み取りデータ検出手段によって検出された画素単位の第１の白基準体及び第２の白基準体の読み取りデータに基づいて定置原稿読み取りモードの読み取りデータとの間の差を補正するモード間補正を行い、得られるデータにシェーディング補正を施す
ことを特徴とする画像読み取り装置。
【請求項２】
請求項１に記載された画像読み取り装置において、
前記第２の白基準体を原稿搬送手段に備えた原稿ガイドと共通の部材とし、
搬送原稿読み取りモードの読み取りデータに対するモード間補正後のシェーディング補正を第１の白基準体の読み取りデータに基づいて行うことを特徴とする画像読み取り装置。
【請求項３】
請求項２に記載された画像読み取り装置において、
前記モード間補正は、搬送原稿読み取りモードの原稿読み取りデータに対し、第１の白基準体の読み取りデータと第２の白基準体の読み取りデータの差分を画素単位で求め、求めた差分を搬送原稿読み取りモードの原稿読み取りデータに加算することにより行う
ことを特徴とする画像読み取り装置。
【請求項４】
請求項１乃至３のいずれかに記載された画像読み取り装置と、画像データに基づいて画像を形成する手段を備えたことを特徴とする画像形成装置。
【発明の詳細な説明】
【０００１】
【発明の属する技術分野】
本発明は、デジタル複写機、スキャナ装置、等に装備される画像読み取り装置に関し、より詳細には、固定原稿読み取り（ブック読み取り）と搬送原稿読み取り（シートスルー読み取り）の二つの方式による読み取りを行う場合に、読み取り画像データに差がでないように、読み取り画像データの補正を行うようにした画像読み取り装置及び該画像読み取り装置を備えた画像形成装置に関する。
【０００２】
【従来の技術】
デジタル複写機、スキャナ装置、等に装備される画像読み取り装置として、ＣＣＤラインイメージセンサに原稿画像を伝達する読み取り光学系（ミラー、ランプ等）を載せたキャリッジを、副走査方向（ＣＣＤの主走査ラインに直交する方向）に移動させて 、固定した原稿の画像情報を読み取る（以下、この固定原稿読み取りモードを「ブック読み取り」モードと称す）方式と、固定した読み取り光学系上をオートマティック ドキュメント フィーダ（ＡＤＦ）により原稿を搬送させ、移動する原稿を読み取る（以下 この搬送原稿読み取りモードを「シート スルー読み取り」モードと称す）方式の両方に対応する装備を持った画像読み取り装置が、従来から知られている。
ところで、ＣＣＤラインイメージセンサ（以下、単に「ＣＣＤ」という）を用いる画像読み取りにおいて、ＣＣＤで変換され、得られる画像データには、ランプ劣化等による読み取り原稿の照明光の光量の不均一、結像光学系による歪み、イメージセンサの各ＣＣＤ画素のばらつき、等に因って、読み取りデータに不正値が現れる。この不正値を補正するために、白基準板を読取り、この読み取りデータから生成される補正データを、実際の原稿読み取りデータに用いて、所謂シェーディング補正を行う。
かかるシェーディング補正をブック読み取りとシートスルー読み取りの二つの方式に対応する装備を持った画像読み取り装置において行う場合に、通常、二つの方式に対して、共通の白基準板から得た補正データを用いるという方法が採用されている。
【０００３】
【発明が解決しようとする課題】
しかしながら、共通の白基準板を用いて行うと、二つの方式間で補正後の読み取りデータに違いが出る。これは、ブック読み取りにおいて、原稿面と白基準板の位置（光源からの高さ）は、ほぼ同一にすることができ、同一の露光条件となるが、シートスルー読み取りにおいては、原稿はＡＤＦ側の搬送路中にあるので、白基準板の位置と同一にすることが困難であり（後記する図１、図２に関する記述、参照）、しかも、ＡＤＦの本体への取付け状態に生じるバラツキ等により、読み取り位置を通過する原稿面を一定化することをさらに難しくするからである。
このように、ブックとシートスルーの二つの読み取り方式では原稿面の位置が異なることから、原稿の読み取りデータに違いが出るので、双方の読み取りデータに同一の補正を行っても、当然のことであるが、方式の違いのデータ差は補正されずに画像データに劣化が残る（特に、ハーフトーンにおいて現れる）ことになり、十分な結果が得られない。
本発明は、ブック読み取りとシートスルー読み取りの二つの方式に対応する装備を持った画像読み取り装置における上記した従来技術の問題点に鑑みてなされたもので、その目的は、読み取り光学系に対し、原稿面の位置が違ってしまうといったような読み取り条件の異なる方式による読み取りを行っても、各方式の読み取りデータ間に違いが生じることがなく、かつ適正な読み取り画像を出力することが可能な画像読み取り装置及び該画像読み取り装置を備えた画像形成装置を提供することにある。
【０００４】
【課題を解決するための手段】
請求項１の発明は、読み取り光学系を備えたキャリッジと、読み取り光学系を経て伝達される画像を画素信号に変換するラインイメージセンサを有する読み取りデータ検出手段と、白基準体の読み取りデータを用いて読み取りデータを補正する読み取りデータ補正手段と、原稿搬送手段と、キャリッジ移動手段とを備え、キャリッジを移動させ、定置した原稿を読み取る定置原稿読み取りモード及びキャリッジを固定し、原稿搬送手段による搬送途中に原稿を読み取る搬送原稿読み取りモードの両読み取りモードの動作が可能な画像読み取り装置であって、前記白基準体として、キャリッジの移動位置に第１の白基準体とキャリッジの前記固定位置に第２の白基準体を、いずれもラインイメージセンサの主走査ラインにおける全読み取り領域にわたって設け、前記読み取りデータ補正手段は、定置原稿読み取りモードの原稿読み取りデータに対し、前記読み取りデータ検出手段によって検出された画素単位の第１の白基準体の読み取りデータに基づいてシェーディング補正を施し、搬送原稿読み取りモードの原稿読み取りデータに対し、前記読み取りデータ検出手段によって検出された画素単位の第１の白基準体及び第２の白基準体の読み取りデータに基づいて定置原稿読み取りモードの読み取りデータとの間の差を補正するモード間補正を行い、得られるデータにシェーディング補正を施すことを特徴とする。
【０００５】
請求項２の発明は、請求項１に記載された画像読み取り装置において、前記第２の白基準体を原稿搬送手段に備えた原稿ガイドと共通の部材とし、搬送原稿読み取りモードの読み取りデータに対するモード間補正後のシェーディング補正を第１の白基準体の読み取りデータに基づいて行うことを特徴とする。
【０００６】
請求項３の発明は、請求項２に記載された画像読み取り装置において、前記モード間補正は、搬送原稿読み取りモードの原稿読み取りデータに対し、第１の白基準体の読み取りデータと第２の白基準体の読み取りデータの差分を画素単位で求め、求めた差分を搬送原稿読み取りモードの原稿読み取りデータに加算することにより行うことを特徴とする。
【０００７】
請求項４の発明は、請求項１乃至３のいずれかに記載された画像読み取り装置と、画像データに基づいて画像を形成する手段を備えたことを特徴とする画像形成装置である。
【０００８】
【発明の実施の形態】
本発明の画像読み取り装置を添付する図面とともに示す以下の実施例に基づき説明する。なお、以下に示す実施例装置は、デジタル複写機等の画像形成装置における構成要素としても適用し得るものである。
図１は、本発明の実施例に係わるＡＤＦを装備した画像読み取り装置の全体構成を概略図として示す。また、図２は、シートスルー（ＡＤＦ）読み取り部を拡大し、その動作を説明するための図である。
図１、図２において、Ｓは原稿、１は原稿Ｓが載置される圧板原稿台（コンタクトガラス）、２は原稿Ｓを照明する光源、３は第1反射ミラー、４は第2反射ミラー、５は第3反射ミラー、６は光源２と第1反射ミラー３とを載せた第1キャリッジ、７は第2反射ミラー４及び第3反射ミラー５とを載せた第2キャリッジ、８は原稿の露光部を結像するためのレンズユニット、９はレンズユニット８により結像された原稿画像を光電変換するＣＣＤラインイメージセンサ（以下、単に「ＣＣＤ」という）、１０はセンサーボード基板、１１はセンサーボード基板１０に接続された信号処理基板、１２はシェーディング等の補正に用いる第１白基準板、１３はシートスルー補正に用いる第２白基準板、１４はＡＤＦ原稿を載置する原稿トレイ、１５は原稿を送る搬送コロ群、１６はシートスルー読み取り位置で原稿をガイドするガイド板、１７は搬送された原稿を排紙する排紙コロである。
【０００９】
図１に示された画像読み取り装置は、読み取り動作を２つのモードで行うような構成を備える。
１つは、図１中に原稿の流れが矢印で示されるように、ＡＤＦを用いて行うシートスルー読み取りモードで、もう１つはコンタクトガラス１上に原稿を定置して行うブック読み取りモードである。
シートスルー読み取りモードは、原稿トレイ１４に載置された原稿を搬送コロ群１５、排紙コロ１７によって送り、搬送路中にあるガイド板１６に接し案内する原稿の読み取り面をコンタクトガラス１を通して露光し、反射光を読み取り光学系で伝達する。従って、図２に示した位置Ｃに第1キャリッジ６を固定させ、その上を原稿が通り抜けることにより（つまり、シートスルーで）、原稿面の画像を読み取ることができる構成をとる。
【００１０】
ブック読み取りモードは、コンタクトガラス１上に原稿を定置し、読み取り系を載せた第1キャリッジ６、第2キャリッジ７を停止位置Ｃ（ホームポジションで、シートスルー読み取りにおける固定位置でもある）から、図２に示した位置Ｂに設けた第１基準白板１２、位置Ａの原稿読み取り開始位置を通り、原稿の末端まで副走査方向（図１中に矢印Ａにて示す）に移動させ、その間に、キャリッジに設けた読み取り系により上記のシートスルー読み取りモードと同様、原稿面の画像を伝達するように構成する。
上記２つのモード何れにおいても、光源２から出た光は、原稿を照射し、その反射光はミラー群を介して結像光学系８によりＣＣＤ９上に導かれ、そこに結像し、電気信号に変換される。ＣＣＤ９で変換された画像信号は、センサーボード基板１０でサンプルホールド、増幅等のアナログ処理を経て、Ａ／Ｄ変換器によりデジタル信号に変換される。
デジタル信号への変換後に信号処理基板１１でシェーディング補正等の各種の補正処理が行われ、次段の印字データ等を生成する画像処理部（図示せず）にＩ／Ｆを介して出力される。
【００１１】
基準白板によるシェーディング補正は、光源の経時的な劣化、或いは点灯時間や、周囲環境温度の変化による照射光量の変化及びＣＣＤの感度ばらつき等に対応して出力の一定化を図るために行う。
シェーディング補正のタイミングは、通常、原稿を読み取るスキャン毎に読み取り光学系の全読み取り領域にわたって設けた基準白板の読み取りを行い、得た読み取り値に基づいて補正データを生成し、生成した補正データを、基本的には、ＣＣＤの主走査ライン毎に行う原稿読み取りデータのシェーディング補正処理用のデータとして、一つの原稿のスキャンの間中使用し続ける。
シェーディング補正のために行う、この実施例における基準白板の読み取りは、ブック読み取りモードにおいて、原稿を読み取るためのスキャン動作と同時に行われる。即ち、ホームポジションの位置Ｃ（図２，参照）に停止していたキャリッジ６を位置Ａの原稿読み取り開始位置に移動させる間の位置Ｂに設けた基準白板を露光し、ＣＣＤ９による主走査により基準白板を読み取る。このときに読み取られる、位置Ｂに設けた基準白板を第１基準白板１２とする。ブック読み取りモードでは、第１基準白板１２の読み取りデータをもとに生成するシェーディング補正データを、次の原稿のスキャン時に再び第１基準白板１２を読み取り、新たにシェーディング補正データを生成するまでの間、基本的に各主走査ラインデータに対して使い続ける。
【００１２】
この実施例では、シートスルー読み取りモードにおいて、ブック読み取りモードで用いる第１基準白板１２を共通にシェーディング補正に使用することにしている。ブック読み取りモードに用いる第１基準白板１２を共通に使用する場合に、シートスルー読み取りモードにおいては、基準白板読み取り動作を原稿読み取り動作と同時に行うことが出来ない。それは、シートスルー読み取りモードにおいて、原稿読み取り時に、図２に示した位置Ｃ（ブック読み取りのキャリッジ停止位置）にキャリッジ６を固定させて読み取るからであり、第１基準白板１２の読み取り動作とは別に動作させることになる。
従って、シェーディング補正を行うためには、原稿読み取り時に固定したキャリッジ６を第１基準白板１２読み取り位置Ｂに移動させる必要があり、この動作は、読み取り制御を行うＣＰＵに負荷を与え、延いては、読み取りに要する時間を長期化させることにつながるものである。
【００１３】
そこで、本発明では、この負荷をできるだけ軽減し、読み取り時間の短縮化を図るとともに、シートスルー読み取りに個別に発生し得る読み取り条件の違いを読み取り原稿毎に検出し、ブック読み取りとの読み取り結果に差が出ないように補正しようとするものである。
このために、本発明においては、キャリッジ６の固定読み取り位置Ｃに対応するＡＦＤ側に第２基準白板１３（図２参照）を全読み取り領域にわたり設ける。この第２基準白板１３により、読み取り条件の違いを各原稿の読み取り前にチェックすることを可能にする。
このチェックは、複数の原稿束が原稿トレイ１４にセットされた場合に、セットされた原稿束の一枚目の原稿読み取りを開始する前に、位置Ｂに行って第１基準白板１２を読み取って、得た第１基準白板１２のデータを、各原稿の読み取り前に第２基準白板１３を読み取って、得た第２基準白板１３のデータと比較して、原稿毎の読み取り条件の違いを検出することによる。
このような方法を実施するために用いる第２基準白板１３として、シートスルー読み取り位置Ｃに設けたＡＤＦ側の原稿ガイド板１６のガイド面を用いることができる。こうすることにより、部品数を増やさずに、より効果的な実施形態をとることが可能になる。
【００１４】
次に、本発明の実施例として、第１基準白板１２及び第２基準白板１３の読み取りと、その読み取りデータを用いて行われるシートスルー読み取りモードにおける補正動作を、以下に説明する。なお、以下に示す実施例の補正動作は、この画像読み取り装置において、スキャナ動作、ＡＤＦの原稿搬送及び読み取り信号の処理等の読み取り動作全体を制御する制御部（図示せず）におけるＣＰＵにより実行する。
図３は、シートスルー読み取りモードにおける読み取りデータの補正動作のフローを示す。
図３を参照して、かかる補正動作の詳細を説明する。
ＡＤＦの原稿トレイ１４にセットされた原稿束を装置が受け入れ、動作を開始すると、先ず、原稿が、一枚目の読みとり原稿であるか否かをチェックする（Ｓ１）。一枚目である場合、停止期間があったので、読み取り条件が変化している可能性が高いので、補正用のデータを得るために、キャリッジ６を位置Ｂに移動させ、第１基準白板１２をＣＣＤ９により読み取る（Ｓ２）。ここで読み取られる第１基準白板１２の読み取りデータは、ＣＣＤ９の画素毎に検出値を所定の階調数のデジタル値で表したものであり、その一例を線図で表すと、図４に示すようなデータになる。図４では白レベルを縦軸に、１〜７５００までの各画素を横軸に取っている。
ステップＳ２で得た第１基準白板１２の読み取りデータを記憶部に蓄積し（Ｓ３）、次に、蓄積した読み取りデータに基づいて、シェーディング補正データの生成を行い、生成された補正データを、後段のステップで使用するために記憶部に蓄積する（Ｓ４）。シェーディング補正データの生成は、基準白板を読み取ったときに本来あるべき白レベルに均一化するために、実際に第１基準白板１２を読み取った各画素データに掛け合わせる補正係数を求めるという、通常行われている演算操作により実施し得る。
【００１５】
その後、キャリッジ６を移動させ、読み取り位置を再び位置Ｃに戻す。
この時、原稿は、まだ搬送されて来ないので、読み取り位置Ｃにはガイド板１６の第２基準白板１３として機能する面が露出している。そこで、第２基準白板１３をＣＣＤ９により読み取る（Ｓ５）。
ここで読み取られる第２基準白板１３の読み取りデータには、第１基準白板１２と異なる読み取り条件（即ち、ブック／シートスルー読み取りモードにおける原稿位置の違い）が検出値に反映されている。即ち、読み取り位置Ｃにおける第２基準白板１３はＡＤＦ側に設けられているので、ブック読み取りの原稿面と同一面に設けられた第１基準白板１２の場合と比べると、原稿面に対する読み取り系の距離が遠くなってしまうことや、スキャナとＡＤＦの装着状態が一定にならない、即ちＡＤＦの本体への取付のバラツキにより、原稿面に対する読み取り系の距離の不均一が生じ、こうした違いが反映される。
【００１６】
かかるスキャナとＡＤＦの装着状態の一例を図５に示す。図５では、スキャナに対して、ＡＤＦの奥が高くなるように装着された場合（Ａ）とＡＤＦの手前が高くなるように装着された場合（Ｂ）が示されており、このような状態になった場合に、主走査方向の読み取り値に不均一が生じる。また、ＡＤＦの取付バラツキによる差が画像中央と周辺の差、左右差になって現れることもある。
第２基準白板１３の読み取りにより、上記のように読み取り条件の違いがチェックできるという反面、第１基準白板１２と異なる条件として、第２基準白板１３の読み取りデータには、ＡＤＦの原稿ガイド面を基準白板に使用しているために、ガイド面へ付着物や汚れが付き、それが読み取りデータに雑音として現れる。かかるガイド面への付着物、汚れの影響が生じた読み取りデータの一例を図６に示す。図６に示すように、付着物により画素の一部のレベルが低下し、黒スジとして現れている。
【００１７】
上記のように第２基準白板１３の読み取りデータには第１基準白板１２と異なる条件が反映されており、この違いは第１と第２の基準白板読み取りデータ間の白レベル差をとることにより抽出できる。図７に第１と第２の基準白板読み取りデータの関係を示す。図７に示すように、第２基準白板読み取りデータは、通常、第１基準白板読み取りデータに比べてレベルが低く、図示の例ではＡＤＦの取付状態が不良であり、主走査方向の傾きが生じた場合を示している。
第１と第２の基準白板読み取りデータから図７に示した白レベル差をとり、この差分データを用いて、シートスルー読み取りデータを補正することができる。つまり、この差分データをシートスルー補正データとして生成し、この補正データを用いて、シートスルーによる原稿読み取りデータを補正することにより、ブック読み取りモードと同じ読み取りデータを出力することが可能になる。
【００１８】
ただし、シートスルー補正データを生成する際に、第２の基準白板読み取りデータに雑音として含まれたデータを修正する必要がある。修正の方法としては、付着物等による雑音が異常信号であることから、これを閾値処理により峻別することができ、異常信号が検出された場合には、異常信号を排除し、異常信号の近辺にある正常な信号を採用することにより異常信号による影響が出ないようにする。
動作フローとしては、ステップＳ３で読み取った第１の基準白板読み取りデータと、ステップＳ５で読み取った第２の基準白板読み取りデータとから第１と第２の基準白板読み取りデータの差分データ（図７中に、白レベル差として示す）を求め、これを白レベル補正データとして後段のシートスルー補正のために、蓄積する（Ｓ６）。
【００１９】
動作フローにおける手順としては、第１と第２の基準白板の読み取りを行った後、位置Ｃにキャリッジを固定したまま、ＡＤＦにより搬送されてくる原稿の読み取りを行う（Ｓ７）。
次いで、原稿読み取りデータにシートスルー補正を行う（Ｓ８）。シートスルー補正は、上記ステップＳ６で生成した白レベル補正データによりシートスルーモードによる原稿読み取りデータを補正する。ここでは、原稿読み取りデータに白レベル補正データを加算することにより行う。この補正により得られる読み取りデータは、ブックモードで読み取ったと同じレベルの信号になる。
この後、前のステップＳ８で処理された読み取りデータに対してシェーディング補正を行う（Ｓ９）。シェーディング補正は、読み取りデータに対して通常行われる処理であり、ブック読み取りモードにおいても同様に行う。ここでは、ステップＳ４で生成したシェーディング補正データとしての補正係数をステップＳ８でシートスルー補正された原稿読み取りデータに掛け合わせることにより行う。
次いで、ＡＤＦの原稿トレイ１４に次原稿があるか否かをチェックする（Ｓ１０）。チェックの結果、次原稿がない場合、このフローを終了させる。
【００２０】
他方、ステップＳ１０のチェックの結果、次原稿がある場合、このフローの最初のステップＳ１に戻し、読み取るべき原稿が一枚目の原稿であるか否かをチェックする（Ｓ１）。この説明の手順では、既に一枚目の原稿の読み取りが済んでいるので、チェック結果はNOであるから、一枚目の原稿について行った第１基準白板１２の読み取りをしないで、直ぐに第２の基準白板１３を読み取るステップＳ５を行う。この後、先に一枚目の原稿の読み取り時に行った処理を同じようにステップＳ１０まで行う。これを複数枚ある残りの原稿全てについて行い処理を終了させる。図８は、シートスルー読み取りモードにおいて、複数枚の原稿束が処理されるときの第１と第２の基準白板の読み取りタイミングを示すチャートである。図８に示すように、原稿束の一枚目は第１と第２両方の基準白板を読み取るが、２枚目以降は、シートスルー読み取り位置に設けた第２の基準白板１３の読み取りのみを行う。従って、第１の基準白板１２の読み取りを最小限の一枚目のみにすることにより、二枚目以降はキャリッジを移動させる動作が不要となり、ＣＰＵに負荷を与えることにつながる読み取りに要する時間の長期化を抑え、かつシェーディング補正とシートスルー補正により適正な読み取りデータの出力を可能にする。
【００２１】
【発明の効果】
（１）請求項１の発明に対応する効果
第１及び第２の白基準体の読み取りデータに基づいてシートスルー読み取りの原稿読み取りデータに対しブック読み取りとの間の読み取りデータの差を補正（モード間補正）し、さらにシェーディング補正を行うようにしたことにより、いずれのモードの読み取りを行っても、読み取り出力に違いがなく、適正な画像データを得ることが可能になる。
【００２２】
（２）請求項２の発明に対応する効果
第２の白基準体を原稿搬送手段に備えた原稿ガイドと共通の部材とし、シートスルー読み取りモードの読み取りデータのシェーディング補正をブック読み取りモードと共通に使用する第１の白基準体の読み取りデータに基づいて行うことにより、部品数を増やさずに、シートスルー読み取りモードにおいて適正な読み取り画像データを得ることが可能になる。
（３）請求項３の発明に対応する効果
第１及び第２の白基準体の読み取りデータの差分をシートスルー読み取りモードの読み取りデータに加算するモード間補正を行うことで、原稿ガイドを第２の白基準体としたことに要因する変動（例えば、ＡＤＦ取り付けのばらつきにより生じる変動、原稿ガイドへの付着物により生じる雑音）を補正でき、シートスルー読み取りモードにおいて生じる可能性のある画像データの劣化を防止することが可能になる。
（４）請求項４の発明に対応する効果
請求項１〜３記載の画像読み取り装置を備えた複写機、ファクシミリ等の画像形成装置おいて上記（１）〜（３）の効果を実現することにより、画像形成装置の性能を向上させることが可能となる。
【図面の簡単な説明】
【図１】  本発明の実施例に係わるＡＤＦを装備した画像読み取り装置の全体構成を概略図として示す。
【図２】  図１の実施例におけるシートスルー読み取り（ＡＤＦ読み取り）部を拡大し、その動作を説明するための図である。
【図３】  シートスルー読み取りモードにおける読み取りデータの補正動作のフローを示す。
【図４】  本実施例における第１基準白板を読み取ったＣＣＤの読み取り出力データの一例を示す。
【図５】  ＡＤＦを装備した本実施例の画像読み取り装置スキャナとＡＤＦの装着状態の一例を示す。
【図６】  本実施例における第２基準白板を読み取ったＣＣＤの読み取り出力データの一例を示す。
【図７】  本実施例における第１、第２基準白板を読み取ったＣＣＤの読み取り出力データの一例を示し、白レベル差を説明するための図である。
【図８】  シートスルー読み取りモードにおいて、原稿束が処理されるときの第１、第２基準白板の読み取りタイミングを示す。
【符号の説明】
１…圧板原稿台（コンタクトガラス）、
２…光源、                        ３…第1反射ミラー、
４…第2反射ミラー、              ５…第3反射ミラー
６…第1キャリッジ、              ７…第2キャリッジ
８…搬送コロ群、                  ６…排紙コロ、
７…ガイド板（背景板）、           ８…レンズユニット、
９…ＣＣＤラインイメージセンサ、１０…センサーボード基板、
１１…信号処理基板、              １２…第１白基準板、
１３…第２白基準板、              １４…原稿トレイ、
１５…搬送コロ群、                １６…ガイド板、
１７…排紙コロ、                    Ｓ…原稿。
【図１】
0004678806.tif 000002
【図２】
0004678806.tif 000003
【図３】
0004678806.tif 000004
【図４】
0004678806.tif 000005
【図５】
0004678806.tif 000006
【図６】
0004678806.tif 000007
【図７】
0004678806.tif 000008
【図８】
0004678806.tif 000009